(57)【要約】      （修正有）【課題】容器内に異なる種類の野菜や肉、魚が混在していても、電子レンジにて加熱・調理した際に、調理ムラのない調理を行うことができる食品調理用容器を提供する。【解決手段】蒸気圧調整弁１６付きの食品調理用容器１０の蒸気圧調整弁を食品調理用容器の内圧を外気圧力より３ｍｂ程度高く設定できる仕様とし、かつ食品調理用容器１０の内部にゼラチン２０を添加した。【選択図】図１
0003122620.tif 000002
【実用新案登録請求の範囲】
【請求項１】
蒸気圧調整弁付きの食品調理用容器において、
電子レンジにて内部の食材を加熱したとき、前記蒸気圧調整弁が前記食品調理用容器の内圧を外気圧力より３ｍｂ程度高く設定できる仕様であり、かつ
前記食品調理用容器の内部にゼラチンが添加されたことを特徴とする食品調理用容器。
【請求項２】
前記ゼラチンの量が、前記食材１００ｇ当たり０．２５ｇ〜２．５ｇ程度であることを特徴とする請求項１に記載の食品調理用容器。
【請求項３】
前記食品調理用容器がポリプロピレン製であることを特徴とする請求項１に記載の食品調理用容器。
【考案の詳細な説明】
【技術分野】
【０００１】
本考案は食品調理用容器に関し、特に電子レンジにて食品を加熱するのに適した食品調理用容器に関する。
【背景技術】
【０００２】
従来から電子レンジにて、食品を加熱して調理するために、各種プラスチック製の容器が開発され、利用されている。また、工場であらかじめ野菜や肉、魚などを取り混ぜ、味付けをした食品をパック詰めし、家庭の電子レンジにて加熱調理するためのプラスチック容器も開発されて、利用されている（下記の特許文献１参照）。
【特許文献１】特開２００１−７２１４３号公報
【考案の開示】
【考案が解決しようとする課題】
【０００３】
しかしながら、上記の特許文献１に記載の技術に代表されるように、従来の食品加熱用の容器を用いて、異なる種類の野菜や肉、魚などを同時に加熱した場合、ある種の食材は、柔らかくなっているのに、他の食材が未だ十分柔らかくなっていないと言う、いわゆる「調理ムラ」ができてしまうという問題があった。調理ムラをなくすため、最も加熱しにくい食材が柔らかくなるまで電子レンジの加熱時間を長くしたり、あるいは電子レンジの出力を上げたり、さらには、これらを併用すると、既に柔らかくなっている食材が極めて柔らかく、場合によっては原型がくずれてしまい、食感がとても悪くなってしまう。このように、従来の食品調理用容器を用いて異なる食材を電子レンジで加熱すると、すべての食材がほどよく加熱され、それぞれが適切な食感を有する状態で調理されるという状態を達成することはできなかったのである。
【０００４】
本考案は上記従来例の問題点に鑑み、容器内に異なる種類の野菜や肉、魚が混在していても、電子レンジにて加熱・調理した際に、調理ムラのない調理を行うことができる食品調理用容器を提供することを目的とする。
【課題を解決するための手段】
【０００５】
本考案は、上記目的を達成するために、蒸気圧調整弁付きの食品調理用容器の蒸気圧調整弁を食品調理用容器の内圧を外気圧力より３ｍｂ程度高く設定できる仕様とし、かつ食品調理用容器の内部にゼラチンを添加したものである。
【０００６】
すなわち本考案によれば、蒸気圧調整弁付きの食品調理用容器において、
電子レンジにて内部の食材を加熱したとき、前記蒸気圧調整弁が前記食品調理用容器の内圧を外気圧力より３ｍｂ程度高く設定できる仕様であり、かつ
前記食品調理用容器の内部にゼラチンが添加されたことを特徴とする食品調理用容器が提供される。
【考案の効果】
【０００７】
本考案によれば、異なる種類の野菜や肉、魚を同一の食品調理用容器に入れて電子レンジにより加熱した場合、すべての食材が程よく加熱・調理され、不必要に柔らかくなりすぎることがない。また、パスタや野菜を調理した場合、加熱時間の調整により、食感のよいアルデンデに仕上げることができる。
【考案を実施するための最良の形態】
【０００８】
以下、図面を参照して本考案の実施の形態について説明する。図１は本考案に係る食品調理用容器の好ましい実施の形態の断面図である。食品調理用容器１０は、本体１２と蓋部１４を有し、蓋部１４の中央付近には図示省略の切り込みが設けられ、これを覆うように、蓋部１４の表面（外側）には蒸気圧調整弁１６が取り付けられている。後述する食材（食品）１８とゼラチン２０が本体１２の内部に載置された後、蓋部１４は、本体１２の上部縁部にヒートシールなどにより接着されている。蒸気圧調整弁１６は、加熱時に、蒸気圧調整弁１６の内部の圧力が外気圧（大気圧）より３ｍｂだけ高くなるよう設定されている。
【０００９】
この蒸気圧調整弁１６としては、例えばボッシュ  パッケージング  テクノロジー（株）の「アロマフィンバルブ  Ｖ−４５」として知られている弁体で、紙又はポリエステルからなるセパレータの上に、ポリエステルからなる複数のフィルムを順次積層して、これらをアクリル樹脂からなる接着剤で貼りつけてある。このうち、２層のフィルムからなるメンブランにはダルマ型の貫通孔があり、これらのフィルムの間はシリコンオイルが充填されていて、その下のフィルムには切れ目があるが、常圧では弁が閉じている。加熱により内側の圧力が外側より３ｍｂ程高くなると、蓋部１４に設けた切り込みを介して下のフィルム（内側のフィルム）の切れ目から膨張した空気が進入し、２層のフィルムの部分から空気がシリコンオイルを押し出し、横方向に空気が逃げる。こうしてこの弁は、内側の圧力が外側より３ｍｂ弱高くなるまでは、閉じていて、内側の圧力が外側より３ｍｂ程度高くなると、作動してわずかに開き、内部の蒸気を外部に放出するので、加熱中は、内部の圧力が外部より３ｍｂだけ高く保たれることとなる。本体１２の内部には食材１８とゼラチン２０が封入されている。食材１８としては、生の野菜や、パスタ、肉、魚などが適宜選択される。また、必要に応じて調味料が添加される。ゼラチン２０は、本体の内部の底部又は側部に付着される。
【００１０】
食品調理用容器１０の本体１２と蓋部１４はポリプロピレン製とすることができる。従来は、一般にポリエチレンテレフタレート（ＰＥＴ）が使用されていたが、ポリプロピレン製とすることで、単価をローコストに抑えることができる。ゼラチン２０の添加量としては、食材１００ｇ当たり、０．２５ｇ〜２．５ｇ程度が適当である。ただし、食材の水分が多い場合は、ゼラチン量は多めとなり、水分が少ない場合はゼラチン量は少な目となる。この点については、実施例により後述する。今、食材１００ｇ当たり、１ｇのゼラチン添加が適当であるとすると、一般の一食分の食材であって食材１８が約２５０ｇである場合、ゼラチン２０は、２．５ｇ程度となる。
【００１１】
調理時間、すなわち電子レンジによる加熱時間は、食材の内容と量、電子レンジの出力により変化するが、一般的な食材で２５０ｇ程度の場合であって、電子レンジの出力が６００Ｗであるとき、１分〜４分程度が適切である。ゼラチン２０を添加していない従来例では、前述のように食材により加熱度合いが異なり、ある食材は既に柔らかくなっているにもかかわらず、他の食材が未だ硬いという現象が起こっていたが、本考案では、蒸気圧調整弁１６が、加熱時に、蒸気圧調整弁１６の内部の圧力が外気圧（大気圧）より３ｍｂだけ高くなるよう設定されていて、またゼラチン２０が適量添加されているので、食品調理用容器１０の内部の蒸気圧が適切に保たれ、かつゼラチン２０が溶解して各食材への熱伝導を効率よく行うという作用を奏するので、すべての食材が程よく調理され、すべての食材が例えばアルデンテな状態で食感よく提供される。
【００１２】
次に各種食材を本考案の食品調理用容器に入れて電子レンジで加熱した場合の最適加熱時間について説明する。次の表１は、人参、馬鈴薯、大根、南瓜（カボチャ）、さつま芋、ごぼう、ブロッコリー、ピーマン、キャベツ、玉葱、白菜を、５００Ｗの電子レンジで加熱した場合の、各食材の大きさごとの加熱時間と調理状況を調べた結果を示すものである。表１中、◎は最もよく調理できたもの、○はある程度の好結果が得られたもの、△はやや具合の悪いもの、×は、かなり具合の悪いものを示す。この表から分かるように、本考案の食品調理用容器を用いた場合、３分３０秒〜５分００秒程度加熱したときに、ごぼう以外のほとんどの食材が◎又は○であり、よって、使う食材とその大きさを適宜選択して組み合わせることにより、調理時間を、３分３０秒、４分００秒、４分３０秒、５分００秒のいずれかから選択すれば、組み合わせたすべての食材が程よく調理できることが分かる。
【００１３】
【表１】
0003122620.tif 000003
【００１４】
次に、本考案の食品調理用容器で調理する料理例を実施例として説明する。表２は、「しゃきしゃきキャベツの回鍋肉」の場合の食材成分を原材料名として示している。同様に、表３は、「春雨入り水餃子のスープ」を、表４は、「ホクホクかぼちゃのクリームペンネ」を、表５は、「ほうれん草とフレッシュトマトのパスタ」を、表６は、「フレッシュトマトのミネストローネ」を示している。これらの表からわかるように、ゼラチンの量は、スープなど水分の多い場合は、食材１００ｇ当たり１．３８ｇ〜２．１９ｇであるので、多くても２．５ｇ程度が適当である。また水分の少ない他の料理の場合、ゼラチンの量は、食材１００ｇ当たり０．２８５ｇ〜０．３６８ｇであるので、少なくとも０．２５ｇ程度が適当である。これらを総合すると、ゼラチンの量は、食材１００ｇ当たり０．２５ｇ〜２．５ｇ程度が適当である。なお、表２〜表６に示す料理の場合は、家庭用の５００Ｗの電子レンジの場合には、加熱時間は４分３０秒が適当である。
【００１５】
【表２】
0003122620.tif 000004
【００１６】
【表３】
0003122620.tif 000005
【００１７】
【表４】
0003122620.tif 000006
【００１８】
【表５】
0003122620.tif 000007
【００１９】
【表６】
0003122620.tif 000008
【００２０】
なお、本考案の実施の形態は食品調理用容器として説明したが、本考案は、上記食品調理用容器により包装された食品としてとらえることもでき、また、食品の調理方法としてとらえることもできる。すなわち、本考案によれば、蒸気圧調整弁付きの食品調理用容器に包装された食品において、
電子レンジにて内部の食材を加熱したとき、前記蒸気圧調整弁が前記食品調理用容器の内圧を外気圧力より３ｍｂ程度高く設定できる仕様であり、かつ
前記食品調理用容器の内部にゼラチンが添加されたことを特徴とする食品調理用容器に包装された食品が提供される。
また、蒸気圧調整弁付きの食品調理用容器を用いた調理方法において、
電子レンジにて内部の食材を加熱したとき、前記蒸気圧調整弁が前記食品調理用容器の内圧を外気圧力より３ｍｂ程度高く設定するステップと、
加熱前に前記食品調理用容器の内部にゼラチンを添加するステップとを有することを特徴とする調理方法が提供される。
また、電子レンジの出力により加熱時間は変化するが、家庭用の電子レンジで５００Ｗで４分３０秒の場合にレストラン用の電子レンジで１５００Ｗの場合には、１分２０秒が適当であり、上記と同様の好結果が得られた。
【産業上の利用可能性】
【００２１】
以上説明したように、本考案の食品調理用容器は、電子レンジで加熱する食材を包装して調理する容器、またかかる容器により提供される食材、食品、さらには、電子レンジ加熱食品（食材）の調理方法に関する産業において有用である。
【図面の簡単な説明】
【００２２】
【図１】本考案に係る食品調理用容器が食品を包装している状態を示す断面図である。
【符号の説明】
【００２３】
１０  食品調理用容器
１２  本体
１４  蓋部
１６  蒸気圧調整弁
１８  食材（食品）
２０  ゼラチン
【図１】
0003122620.tif 000009
【手続補正書】
【提出日】平成18年4月7日(2006.4.7)
【手続補正１】
【補正対象書類名】実用新案登録請求の範囲
【補正対象項目名】請求項１
【補正方法】変更
【補正の内容】
【請求項１】
蒸気圧調整弁付きの食品調理用容器において、
電子レンジにて内部の食材を加熱したとき、前記蒸気圧調整弁が前記食品調理用容器の内圧を外気圧力より３ｍｂ程度高く設定できるように、前記蒸気圧調整弁が貫通孔を有する２層のフィルムからなるメンブランを有し、前記２層のフィルムの間はシリコンオイルが充填されている構造のものであり、かつ
前記食品調理用容器の内部にゼラチンが添加されたことを特徴とする食品調理用容器。
【手続補正２】
【補正対象書類名】明細書
【補正対象項目名】０００６
【補正方法】変更
【補正の内容】
【０００６】
すなわち本考案によれば、蒸気圧調整弁付きの食品調理用容器において、
電子レンジにて内部の食材を加熱したとき、前記蒸気圧調整弁が前記食品調理用容器の内圧を外気圧力より３ｍｂ程度高く設定できるように、前記蒸気圧調整弁が貫通孔を有する２層のフィルムからなるメンブランを有し、前記２層のフィルムの間はシリコンオイルが充填されている構造のものであり、かつ
前記食品調理用容器の内部にゼラチンが添加されたことを特徴とする食品調理用容器が提供される。